(57)【要約】      （修正有）【課題】管接合される双方の僅かの回動操作等のみで、容易に管抜け止め機能を発揮する全く新しい管抜け止め機能を有する鋳鉄管を提供する。【解決手段】鋳鉄管の接合管離脱防止装置は、受口内部に設けた穴スプラインと挿口外周部に設けた軸スプラインとから構成される。【選択図】図１
2005009656.tif 000002
【特許請求の範囲】
【請求項１】
鋳鉄管の一端に設けた受口内には、内挿される接合管の外周密封用のゴム輪を嵌着する円筒部、次いで接合管の外径より数ｍｍ大きい内径の管抜け止め部を連設し、更に其の受口の内部には接合管端部を内装する円筒部を形成し。本鋳鉄管の他の端部においては、接合する鋳鉄管の外径より大きい複数角形スプライン軸を形成し。更に其の角形スプライン軸先端には、管外径より小径の頭欠円錐形の挿口部を形成し。前記受口の内部に設けた管抜け止め部の内周面には、上記管端部に形成した複数角形のスプライン軸の外周に嵌合する角形のスプラインを形成し。上記受口の正面には、受口内の管抜け止め部に形成した複数角形スプライン凹・凸部夫れ夫れの中心位置と其の識別マークを管軸を基に標記し。又其の管体の外周に、上記受口の端面から受口内部の接合管端部を内装する円筒部の中央までの長さ（接合管挿入長さ）に相当す位置を前記挿口部を基に接合管の外周に規制線で示し。更に其の規制線に直交するように、前記管抜け止め部の角形スプラインで形成されている凹・凸何れか１個の円周方向幅の中心を通り、且つ管軸に沿って案内線で表示し、構成した離脱防止付き鋳鉄管。
【発明の詳細な説明】
【０００１】
【発明の属する技術部分野】
本発明は、水道用管抜け止め機能付鋳鉄管に関する。
【０００２】
【従来の技術】
離脱防止付き鉄管には、既に実願平２−４０１８３９・実願平２−４０１８４０・平３−４９０７１・特願平１０−１３７４５０が公告されているが、
何れも受口内周にゴム輪を介在内挿された接合管の耐圧機能を維持する共に、
接合管抜した出し防止機能として、更に受口内部の内周に設けた溝輪に芯出しゴム輪外装した管抜け出し防止のロックリングを内設し。挿口の先端にはロックリングの内径より小径・凸部は大径に直接的又は間接的に形成され使用されて来た。
此れらに使用されるロックリングは、生産性が低くコスト高であるうえに、上記受口内の溝輪に芯出しゴム輪と共に装着する諸作業には煩雑な技術と時間等を必要とし。係る接合された鋳鉄管を離脱する必要等が場合が生じた場合には、専門の配管技術者と特殊の関係治具機材等を必要として来た。
【０００３】
【発明が解決しようとする課題】
上記従来の離脱防止付き継手部を設けた鋳鉄管は、主として水道の配水管として主に交通事情の厳しい市街地道路の地下配管されるために、其の道路溝掘削・配管接合・埋戻し・舗装等の諸作業に時間的に厳しい制約が伴い、従って関係配管接合作業には、其の都度狭隘な作業環境の中で受口内部に接合管抜け止め用のロックリングの芯出し用のゴム輪を介して装着作業や、管接合時に管抜け止め機能を其の継手部に付与する為に、双方正確な管軸合わせ等諸作業を必用とし。屡此のような諸作業が繰返し行われ、此等の諸作業の迅速・短縮化等の要望が次第に厳しさを増し、これらの諸問題を時間的・経済的に解決する管抜け止め機能を有する鋳鉄管の開発が強く求められて来た。
【０００４】
【課題を解決するための手段】
従来使用して来たロックリングや其の芯出しゴム輪等を使用する事なく、管接合される双方の僅かの回動操作等のみで、容易に管抜け止め機能を発揮する全く新しい管抜け止め機能を有する鉄鉄管を提供する。
【０００５】
【発明の実施の形態】
鋳鉄管の受口２内部は、耐密封圧用ゴム輪７を嵌着する円筒部６に次い其の受口２内部に其の管体１の外径より２ｍｍ大きい内径の環状の管抜け止め部８を凸設し。更に其の内部には管軸５に添って接合管１１端部を内装する管孔１０を設けた円筒部９が形成され。其の鋳鉄管他の管端部においては、其の鋳鉄管の外径よりも６〜８ｍｍ大きいｎ４・長さ１２ｍｍ前後の角形軸スプライン１２を形成し。其の角形軸スプライン１２先端部においては、管体１外径より６ｍｍ小径の頭を除いた凡そ４０度しの円錐形の挿口１８を形成。
【０００６】
上記受口２内の円筒部６に連設された管抜け止め部８には、管軸５上において、角形軸スプライン１２外装状態で嵌合する軸長さ約１３ｍｍ前後の角形スプラン１５を形成し。上記受口正面３の管孔１０周囲面には、上記受口２に内設した管抜け止め部８の角形スプライン１５の各凸部１３・各凹部１４等の管軸５を中心とした円周上の位置に、其の軸に向かって凸部は∨１９・凹部は∧２０と夫れ夫れ交互に標記し。其の管体１の外周には、挿口４端を基点として、上記受口正面３から受口２内部の管抜け止め部８に連設した円筒部９中央までの長さと同一の長さを、接合管１１受口２挿入長さ規制線１７を印し、其の管体１外周面において、管軸に沿って上記規制線１７に直交するように、上記角形軸スプライン１２の凹・凸部何れかの円周上の中央を其の管軸５に沿って案内線１６を表示し、上記規制線１７と交差点の外側外周面には、挿口側に向かって円周方向・軸方向の規制標識１８（→）を設け管構成した離脱防止付き鋳鉄管。
【０００７】
【発明の作用効果】
本発明の同径同種の離脱防止付き鋳鉄管接合時には、先ず接合管の軸角スプラインの凹・凸と受口正面管孔周囲の凹〜凸関係位置を調整確認後、其の接合管を一気に規制線に達する迄挿入し。此の場合接合管は挿口の案内で軸角スプラインは係止部の角スプラインを通過し受口内の円筒部の所定の位置迄挿入され、その後上記接合管抜止め機能を働かせるために、上記状態の接合管の角軸スプラインを異相状態にするために受口正面にに示されている凹〜凸何れか示されている隣の位置に軸方向線が示すように規制標識を基に接合管を回動し、離脱防止付鋳鉄管の接合作業は完了する。
【０００８】
その後其の管路に内・外の力が働き其の管が受口より抜け出す作用が働いた場合には、管端部の軸角スプラインの各凸部は受口内の角スプライン凸部の管軸方向の各側面にそれぞれ互いに接当し、其処で接合管の抜け出しは確実に防止される。又上記管抜け出し防止機能付加した後に其の接合管抜き取る事情が発生じた場合には、其の接合管を元の位置に軸方向線を受口正面の凹〜凸何れか僅かに回動復帰することにより両角スプラインは異相が解かれ容易に両管は軸方向に分離接合管は受口から抜き出すことが可能になる。
【０００９】
従って従来の管抜け止め付鉄管の場合には、管抜止め用の部材として、高価なロックリング・其の芯出しゴム輪等を必用とし。又熟練と作業時間を必要とする管接合作業時には、狭隘な受口の内部の内周に設けた溝輪に上記の芯出しゴム輪外装状態で管接合作業を必要とし。此の種の管抜け止め付鉄管接合後、其の管を取り外す場合には特殊な関係機材と関係する更なる専門技能者を必要として来た等々社会的問題も解決する等々優れた効果が期待出来る。
【図面の簡単な説明】
【図１】離脱防止付鋳鉄管の縦断面を示す
【図２】離脱防止付鋳鉄管の正面図（Ａ−Ｂ）
【図３】離脱防止付鋳鉄管の挿口の方から見た背面図（Ｃ−Ｄ）
【図４】図１・抜止め部（角スプライン）の横断面図（Ｅ−Ｆ）
【図５】受口正面の符号∧に対して接合管符号∧会わせ、受口内所定の長挿入状態図。（受口部は縦断面）
【図６】図５の状態から接合管を左右何れかに回動符号∧を受口正面の符号∨に会わせ、受口内抜け止め部の角スプラインと接合管の角軸スプラインとを異相関係にした状態。（受口部は縦断面）
【図７】従来の管抜止め管継手に接合管を所要の長さ挿入状態で、ロックリングが管体に嵌着し接合管抜止め機能付加状態。（受口のみ縦断面図）
【符号の説明】
１  管体                            ２  受口
３  受口正面                        ４  挿口
５  管軸                            ６  円筒部
【図１】
2005009656.tif 000003
【図２】
2005009656.tif 000004
【図３】
2005009656.tif 000005
【図４】
2005009656.tif 000006
【図５】
2005009656.tif 000007
【図６】
2005009656.tif 000008
【図７】
2005009656.tif 000009